(57)【要約】【課題】呼び出しボタンのメンテナンスを容易に行うことが可能なトイレユニットを提供する。【解決手段】便器と、前記便器の上に載置される衛生洗浄装置と、が設けられるトイレ室において、前記便器の側方に取り外し可能に設けられる板部と、前記板部に設けられ、前記便器を洗浄する洗浄ボタンと、前記板部に設けられ、前記衛生洗浄装置を操作するリモコンと、前記板部に設けられ、非常時用の呼び出しボタンと、を備えたことを特徴とするトイレユニット。【選択図】図１
2017210838.tif 000002
【特許請求の範囲】
【請求項１】
便器と、前記便器の上に載置される衛生洗浄装置と、が設けられるトイレ室において、前記便器の側方に取り外し可能に設けられる板部と、
前記板部に設けられ、前記便器を洗浄する洗浄ボタンと、
前記板部に設けられ、前記衛生洗浄装置を操作するリモコンと、
前記板部に設けられ、非常時用の呼び出しボタンと、
を備えたことを特徴とするトイレユニット。
【請求項２】
前記洗浄ボタンの上下方向における中心と、前記呼び出しボタンの上下方向における中心と、は、水平方向に一致して設けられることを特徴とする請求項１記載のトイレユニット。
【請求項３】
前記洗浄ボタンの前記中心と、前記呼び出しボタンの前記中心と、前記リモコンの上下方向における中心と、が水平方向に一致して設けられることを特徴とする請求項２記載のトイレユニット。
【請求項４】
前記板部に設けられる枠をさらに備え、
前記リモコンは、前記洗浄ボタンと前記呼び出しボタンとの間に設けられ、
前記洗浄ボタンおよび前記リモコンは、前記枠に挿入されることを特徴とする請求項１〜３のいずれか１つに記載のトイレユニット。
【請求項５】
前記枠を前記板部に対して固定するための第１固定手段をさらに備え、
前記第１固定手段は、前記洗浄ボタンと前記リモコンとの間に位置することを特徴とする請求項４記載のトイレユニット。
【請求項６】
前記呼び出しボタンは、前記枠に固定されることを特徴とする請求項４または５に記載のトイレユニット。
【請求項７】
前記枠を前記板部に対して固定するための第２固定手段をさらに備え、
前記第２固定手段は、前記リモコンと前記呼び出しボタンとの間に位置することを特徴とする請求項６記載のトイレユニット。
【請求項８】
前記便器の前記側方に設けられる手すりをさらに備え、
前記手すりの少なくとも一部は、前記洗浄ボタンの前記中心および前記呼び出しボタンの前記中心よりも下方に設けられることを特徴とする請求項１〜７のいずれか１つに記載のトイレユニット。
【発明の詳細な説明】
【技術分野】
【０００１】
本発明の態様は、一般的に、トイレユニットに関する。
【背景技術】
【０００２】
特許文献１および２には、高齢者や下肢に麻痺などを有する人が利用しやすい様に構成されたトイレユニットが開示されている。このようなトイレユニットでは、便器の側方に、便器の洗浄等を行うための操作手段が設けられる。また、特許文献２に開示されるように、操作手段の近くに、さらに非常呼び出しボタンが設けられる場合がある。
【先行技術文献】
【特許文献】
【０００３】
【特許文献１】特開２００８−２８４０４２号公報
【特許文献２】特開２０１３−２４１７５４号公報
【発明の概要】
【発明が解決しようとする課題】
【０００４】
特許文献２では、操作手段が設けられたパネルが、ライニングに対して着脱自在であり、これにより操作手段のメンテナンスをより楽に行うことができる点が開示されている。しかし、特許文献２では、呼び出しボタンのメンテナンスについては考慮されていない。このため、トイレユニットにおける呼び出しボタンのメンテナンス性については、未だ改善の余地があった。
本発明は、かかる課題の認識に基づいてなされたものであり、呼び出しボタンのメンテナンスを容易に行うことが可能なトイレユニットを提供することを目的とする。
【課題を解決するための手段】
【０００５】
第１の発明は、便器と、前記便器の上に載置される衛生洗浄装置と、が設けられるトイレ室において、前記便器の側方に取り外し可能に設けられる板部と、前記板部に設けられ、前記便器を洗浄する洗浄ボタンと、前記板部に設けられ、前記衛生洗浄装置を操作するリモコンと、前記板部に設けられ、非常時用の呼び出しボタンと、を備えたことを特徴とするトイレユニットである。
【０００６】
このトイレユニットによれば、洗浄ボタン、リモコン、および呼び出しボタンが、取り外し可能な板部に設けられているため、洗浄ボタン、リモコン、および呼び出しボタンのメンテナンスを容易に行うことができる。
【０００７】
第２の発明は、第１の発明において、前記洗浄ボタンの上下方向における中心と、前記呼び出しボタンの上下方向における中心と、は、水平方向に一致して設けられることを特徴とするトイレユニットである。
【０００８】
このトイレユニットによれば、便器の上に着座した使用者が、洗浄ボタンおよび呼び出しボタンを押し易くなり、使い勝手を向上させることができる。
【０００９】
第３の発明は、第２の発明において、前記洗浄ボタンの前記中心と、前記呼び出しボタンの前記中心と、前記リモコンの上下方向における中心と、が水平方向に一致して設けられることを特徴とするトイレユニットである。
【００１０】
このトイレユニットによれば、便器の上に着座した使用者が、洗浄ボタンおよび呼び出しボタンに加えて、リモコンの操作も行い易くなるため、使い勝手を向上させることができる。
【００１１】
第４の発明は、第１〜第３のいずれかの発明において、前記板部に設けられる枠をさらに備え、前記リモコンは、前記洗浄ボタンと前記呼び出しボタンとの間に設けられ、前記洗浄ボタンおよび前記リモコンは、前記枠に挿入されることを特徴とするトイレユニットである。
【００１２】
このトイレユニットによれば、洗浄ボタンおよびリモコンを、別個の枠に挿入して板部に設ける場合に比べて、施工性を向上させることができる。また、枠が占めるスペースを小さくし、洗浄ボタンとリモコン４２との間の距離を短くすることができる。このため、使用者が着座した状態で洗浄ボタンおよびリモコンを操作し易くなり、使い勝手を向上させることができる。
【００１３】
第５の発明は、第４の発明において、前記枠を前記板部に対して固定するための第１固定手段をさらに備え、前記第１固定手段は、前記洗浄ボタンと前記リモコンとの間に位置することを特徴とするトイレユニットである。
【００１４】
このトイレユニットによれば、枠の外周に第１固定手段が設けられる場合に比べて、枠の大きさを小さくすることができ、板部やトイレユニットの設計の自由度を向上させることが可能となる。
【００１５】
第６の発明は、第４または第５の発明において、前記呼び出しボタンは、前記枠に固定されることを特徴とするトイレユニットである。
【００１６】
このトイレユニットによれば、リモコンと呼び出しボタンとの間の清掃性を確保しつつも、リモコンと呼び出しボタンとの間の隙間を狭くし、左右方向においてコンパクトにすることが可能である。
【００１７】
第７の発明は、第６の発明において、前記枠を前記板部に対して固定するための第２固定手段をさらに備え、前記第２固定手段は、前記リモコンと前記呼び出しボタンとの間に位置することを特徴とするトイレユニットである。
【００１８】
このトイレユニットによれば、枠の外周に第２固定手段が設けられる場合に比べて、枠の大きさを小さくすることができ、板部やトイレユニットの設計の自由度を向上させることが可能となる。
【００１９】
第８の発明は、第１〜第７のいずれかの発明において、前記便器の前記側方に設けられる手すりをさらに備え、前記手すりの少なくとも一部は、前記洗浄ボタンの前記中心および前記呼び出しボタンの前記中心よりも下方に設けられることを特徴とするトイレユニットである。
【００２０】
このトイレユニットによれば、使用者が、手すりを掴んだ状態で洗浄ボタンや呼び出しボタンを押すことが容易となり、トイレユニットの使い勝手を向上させることができる。
【発明の効果】
【００２１】
本発明の態様によれば、呼び出しボタンのメンテナンスを容易に行うことが可能なトイレユニットが提供される。
【図面の簡単な説明】
【００２２】
【図１】実施形態に係るトイレユニットを表す斜視図である。
【図２】実施形態に係るトイレユニットが有する板部近傍を表す拡大図である。
【図３】実施形態に係るトイレユニットが有する操作部を表す拡大図である。
【図４】実施形態に係るトイレユニットが有する板部に取り付けられる構成要素の一例を表す斜視図である。
【図５】実施形態に係るトイレユニットが有する枠を表す背面図である。
【図６】実施形態に係るトイレユニットが有する板部に取り付けられる構成要素の他の一例を表す斜視図である。
【図７】図６に表される枠を他の視点から見た斜視図である。
【発明を実施するための形態】
【００２３】
以下、本発明の実施形態について図面を参照しつつ説明する。なお、各図面中、同様の構成要素には同一の符号を付して詳細な説明は適宜省略する。
図１は、実施形態に係るトイレユニット１を表す斜視図である。
図１に表すように、トイレユニット１は、ライニング１０、ライニング１２、便器１４、衛生洗浄装置１６、紙巻器（ペーパーホルダ）１８、ダストボックス２０、背もたれ２２、手すり２４、跳ね上げ式手すり２６、板部３０、操作部４０、手洗いユニット５０、汚物流しユニット６０、および洗面ユニット７０を有する。
【００２４】
本願明細書においては、発明の説明のために、「上方」、「下方」、「前方」、「後方」、「左側方」、および「右側方」を用いる。これらは、便器１４の上の便座に着座した使用者からみた場合を基準とするものである。
【００２５】
トイレユニット１は、車椅子を使用する人、人工肛門や人工膀胱などの保持者であるオストメイトなどが利用できるように構成された、いわゆる多機能トイレである。
【００２６】
ライニング１０および１２は、トイレユニット１が設けられたトイレ室の壁面から突出して設けられている。ライニング１０および１２は、板状部材や不図示のフレームによって構成されている。ライニング１０および１２の内側には、例えば、トイレユニット１が備える構成要素に接続される水道配管や電気配線などが設けられる。
【００２７】
便器１４は、ライニング１２の前方に設けられている。便器１４は、例えば、トイレ室の壁面に固定された「壁掛け式」の水洗便器である。便器１４は、トイレ室の床に固定された「床置き式」の水洗便器であってもよい。
【００２８】
衛生洗浄装置１６は、便器１４の上に載置されている。衛生洗浄装置１６は、トイレユニット１の使用者が座るための便座と、使用者の局部を洗浄するための不図示の洗浄ノズルと、を有する。衛生洗浄装置１６は、この他に、トイレ室に入室した使用者を検知するための人体検知センサや、便座への着座を検知する着座検知センサ、便座を温めるための加熱手段などを有していてもよい。
【００２９】
便器１４の左側方に設けられたライニング１０の壁面には、板部３０が取り外し可能に設けられている。板部３０は、ライニング１０の壁面の一部を構成している。板部３０は、トイレ室の壁面に取り外し可能に設けられていてもよい。
操作部４０は、板部３０に設けられている。操作部４０は、使用者が便座の上に座ったまま操作し易いように、便器１４に近接して設けられている。
【００３０】
紙巻器１８およびダストボックス２０は、ライニング１０の壁面に設けられている。紙巻器１８は、操作部４０の下方に位置し、ダストボックス２０は、紙巻器１８の下方に位置している。
背もたれ２２は、着座した使用者が背中をもたせることができるように、ライニング１２の壁面に設けられている。
【００３１】
手すり２４は、便器１４の左側方に設けられている。手すり２４は、Ｌ字形をなし、トイレ室の壁面およびライニング１０の壁面に固定されている。
跳ね上げ式手すり２６は、便器１４の右側方に設けられている。跳ね上げ式手すり２６は、上方に向けて力を加えることで、上に跳ね上げることができる。なお、跳ね上げ式手すり２６に代えて、固定式の手すりや、水平方向に回動可能な手すりが設けられていてもよい。
【００３２】
手洗いユニット５０は、例えば、ライニング１０の上面に設けられている。手洗いユニット５０は、水栓５１およびボウル部５２を有する。手洗いユニット５０は、使用者が便座に座ったまま手を洗えるように、便器１４に近接して設けられている。
【００３３】
汚物流しユニット６０は、例えば、ライニング１２の壁面に設けられている。汚物流しユニット６０は、水栓６１、ボウル部６２、液体石鹸供給器６３、鏡６４、レバー６５、紙巻器（ペーパーホルダ）６６、および洗浄ボタン６７を有する。
【００３４】
ボウル部６２は、パウチに貯まった汚物の投入や、ストーマの洗浄などが容易となるように、開口が広く形成されている。水栓６１、液体石鹸供給器６３、鏡６４、およびレバー６５は、ボウル部６２の上方に設けられている。水栓６１および液体石鹸供給器６３は、手やパウチ、ストーマなどの洗浄に用いられる。レバー６５を引くことで、水栓６１から水が供給される。紙巻器６６は、洗浄後の水をトイレットペーパーによって拭き取ることができるように、ボウル部６２の近傍に設けられている。
【００３５】
ボウル部６２には、不図示の吐水口が設けられており、この吐水口は、水道配管や水タンクなどの給水源と接続されている。ボウル部６２において、汚物を流したりストーマの洗浄を行った後は、洗浄ボタン６７を押すことで、吐水口からボウル部６２に向けて水が供給され、ボウル部６２が洗浄される。
【００３６】
洗面ユニット７０は、水栓７１、ボウル部７２、液体石鹸供給器７３、および鏡７４を有する。水栓７１、ボウル部７２、および液体石鹸供給器７３は、例えば、ライニング１０の上面に設けられ、鏡７４は、これらの上方に設けられている。
【００３７】
図２は、実施形態に係るトイレユニット１が有する板部３０近傍を表す拡大図である。
図３は、実施形態に係るトイレユニット１が有する操作部４０を表す拡大図である。
図２および図３に表すように、操作部４０は、洗浄ボタン４１、リモコン４２、および呼び出しボタン４３を含む。
【００３８】
洗浄ボタン４１は、便器１４の内側のボウル部を洗浄するためのボタンである。
リモコン４２は、衛生洗浄装置１６が有する各要素を操作するためのものである。使用者は、例えば、リモコン４２を操作することで、局部の洗浄や乾燥を行うことができる。
呼び出しボタン４３は、非常時に用いられるボタンである。使用者が呼び出しボタン４３を押すことで、例えば、外部に通知が発信されたり、トイレユニット１外部の非常ランプが点灯したりする。
【００３９】
板部３０は、前述した通り、ライニング１０に対して脱着可能に設けられている。板部３０を取り外すことで、板部３０に設けられた洗浄ボタン４１、リモコン４２、および呼び出しボタン４３も同時にライニング１０から取り外される。
【００４０】
図３に表すように、洗浄ボタン４１、リモコン４２、および呼び出しボタン４３は、水平方向に並んで設けられている。より具体的には、洗浄ボタン４１の上下方向の中心Ｃ１と、呼び出しボタン４３の上下方向の中心Ｃ３と、が水平方向に一致している。図２に表すように、さらに、これらのボタンの中心Ｃ１およびＣ３と、リモコン４２の上下方向の中心Ｃ２と、が水平方向に一致していてもよい。
なお、ここでは、洗浄ボタン４１とは、使用者が便器１４の洗浄時に押し込むボタン部分だけでなく、ボタン部分の周りの外枠を含むものである。同様に、リモコン４２および呼び出しボタン４３も、それぞれのボタン部分だけでなく、ボタン部分の周りの外枠を含むものである。
【００４１】
また、図２に表すように、洗浄ボタン４１の少なくとも一部は、便器１４の前端よりも前方に位置している。呼び出しボタン４３は、便器１４の前端よりも後方に位置している。
手すり２４の下部は、水平方向に延びており、板部３０の正面に位置している。また、手すり２４の下部は、洗浄ボタン４１、リモコン４２、および呼び出しボタン４３のそれぞれの中心Ｃ１〜Ｃ３よりも下方に位置し、紙巻器１８の上方に位置している。
【００４２】
図４は、実施形態に係るトイレユニット１が有する板部３０に取り付けられる構成要素の一例を表す斜視図である。
図４に表すように、板部３０には、固定材３１、ハンガー３２ａ、ハンガー３２ｂ、フレーム３３、枠３４、洗浄ボタン４１、リモコン４２、および呼び出しボタン４３が取り付けられる。
【００４３】
ハンガー３２ａおよび３２ｂは、固定材３１にネジによって固定される。各ハンガーの正面には、上方に向けて屈曲した突出部が設けられている。また、洗浄ボタン４１およびリモコン４２の背面には、不図示の窪みが形成されている。洗浄ボタン４１およびリモコン４２の窪みと、各ハンガーの突出部と、を係合させることで、洗浄ボタン４１およびリモコン４２が、ハンガー３２ａおよび３２ｂを介して固定材３１に取り付けられる。
【００４４】
フレーム３３は、板部３０の背面に、例えば接着剤で固定される。図４に表す例では、複数のフレーム３３ａ〜３３ｃが板部３０の背面に設けられているが、これらのフレームは一体に形成されたものであってもよい。
【００４５】
枠３４には、開口３４ａ〜３４ｃが形成されている。洗浄ボタン４１は、開口３４ａに挿入され、リモコン４２は、開口３４ｂに挿入される。また、呼び出しボタン４３は、開口３４ｃの周りにネジ等で固定される。呼び出しボタン４３の配線等は、開口３４ｃおよび開口３０ａを通して板部３０の背面側に引き出される。
【００４６】
また、枠３４は、板部３０に形成された開口３０ａに挿入される。枠３４の前面の縁３４ｄは、枠３４を開口３０ａに挿入した際に、開口３０ａの縁に引っ掛かるように、外方に向けて突出している。洗浄ボタン４１、リモコン４２、および呼び出しボタン４３は、枠３４を介して、板部３０に設けられる。
【００４７】
洗浄ボタン４１およびリモコン４２が固定材３１とフレーム３３との間に挟み込まれた状態で、固定材３１とフレーム３３とがネジによって固定され、固定材３１と枠３４がネジによって固定される。これにより、板部３０に各構成要素が固定され、一体に構成される。
この他に、板部３０には、紙巻器１８などが固定されていてもよい。
また、例えば、板部３０の背面側上部には、不図示の係合部が設けられている。この係合部をライニング１０に係合させることで、板部３０がライニング１０に対して脱着可能に取り付けられる。
【００４８】
図５は、実施形態に係るトイレユニット１が有する枠３４を表す背面図である。
図５に表すように、枠３４の背面（固定材３１側の面）には、複数のナットＮが埋め込まれている。一部のナットＮは、開口３４ａと開口３４ｂとの間に位置している。他の一部のナットＮは、開口３４ｂと開口３４ｃとの間に位置している。このため、板部３０と固定材３１との間に洗浄ボタン４１およびリモコン４２を挟み込んだ際に、ナットＮは、洗浄ボタン４１とリモコン４２との間およびリモコン４２と呼び出しボタン４３との間に位置する。このナットＮに、ネジ（ボルト）を固定材３１の背面側から締結することで、固定材３１と枠３４が固定される。
【００４９】
図６は、実施形態に係るトイレユニット１が有する板部３０に取り付けられる構成要素の他の一例を表す斜視図である。
図７は、図６に表される枠３４を他の視点から見た斜視図である。
【００５０】
図６に表す例では、板部３０は、開口３０ａおよび開口３０ｂを有する。洗浄ボタン４１およびリモコン４２は、図４に表す例と同様に枠３４の開口に挿入され、枠３４は開口３０ａに挿入される。一方で、呼び出しボタン４３は、開口３０ｂの周りにネジ等で固定される。固定材３１、ハンガー３２ａ、ハンガー３２ｂ、およびフレーム３３は、図４に表す例と同様に、板部３０の背面側に設けられる。
すなわち、図６に表す例は、呼び出しボタン４３が、枠３４を介さずに、板部３０に直接固定される点で、図４に表す例と異なる。
【００５１】
図６に表す例の場合、枠３４のナットＮは、板部３０と固定材３１との間に洗浄ボタン４１およびリモコン４２を挟み込んだときに、ナットＮが、洗浄ボタン４１とリモコン４２との間およびリモコン４２と呼び出しボタン４３との間に位置するように、設けられている。
【００５２】
この点について、より具体的に図７を参照して説明する。
図７に表すように、枠３４は、リモコン４２と呼び出しボタン４３との間に位置する部分に、係止部３４ｅを有する。係止部３４ｅは、枠３４の縁３４ｄよりも外方に突出している。また、縁３４ｄと係止部３４ｅとの間には隙間が形成されている。係止部３４ｅを板部３０の背面側に引っ掛けて枠３４を板部３０に取り付けることで、板部３０の開口３０ａの縁が、縁３４ｄと係止部３４ｅとの隙間に挟み込まれる。
【００５３】
係止部３４ｅには、ナットＮが設けられており、固定材３１と締結可能に構成されている。開口３４ａと開口３４ｂとの間のナットＮに加え、係止部３４ｅにナットＮを設け、固定材３１と締結することで、固定材３１に対する枠３４の固定強度を高めることができる。
【００５４】
以上で説明したように、本実施形態に係るトイレユニット１は、便器１４の側方に取り外し可能に設けられた板部３０を備える。そして、板部３０には、洗浄ボタン４１、リモコン４２、および呼び出しボタン４３が設けられている。
このような構造によれば、板部３０を取り外すことで、洗浄ボタン４１およびリモコン４２に加えて、呼び出しボタン４３のメンテナンスを容易に行うことができる。
【００５５】
また、本実施形態に係るトイレユニット１では、洗浄ボタン４１の上下方向の中心Ｃ１と呼び出しボタン４３の上下方向の中心Ｃ３とが、水平方向に一致して設けられている。こうすることで、便器１４の上に着座した使用者がこれらのボタンを押し易くなり、使い勝手を向上させることができる。
加えて、これらの上下方向の中心Ｃ１およびＣ３と、リモコン４２の上下方向の中心Ｃ２と、を水平方向に一致させることで、着座した使用者がリモコン４２も操作しやすくなるため、使い勝手をさらに向上させることができる。
このとき、リモコン４２は、洗浄ボタン４１と呼び出しボタン４３との間に設けられていることが望ましい。リモコン４２を洗浄ボタン４１と呼び出しボタン４３との間に設け、洗浄ボタン４１と呼び出しボタン４３との間の距離を長くすることで、洗浄ボタン４１を押す際に、使用者が誤って呼び出しボタン４３を押してしまう可能性を低減することができる。
【００５６】
また、操作部４０について、洗浄ボタン４１、リモコン４２、および呼び出しボタン４３は、互いに近接して設けられていることが望ましい。洗浄ボタン４１、リモコン４２、および呼び出しボタン４３が互いに離れていると、着座した状態で腰をひねることが難しい使用者などにとって、端に位置する洗浄ボタン４１や呼び出しボタン４３に手が届かない場合があるためである。
【００５７】
この点について、本実施形態に係るトイレユニット１では、洗浄ボタン４１およびリモコン４２が、枠３４を介して板部３０の開口３０ａに設けられている。洗浄ボタン４１およびリモコン４２を、１つの枠３４を介して板部３０に設けられることで、洗浄ボタン４１およびリモコン４２を、それぞれ別個の枠に挿入して板部３０に設ける場合に比べて、板部３０に各構成要素を取り付ける際の施工性を向上させることができる。また、このような構造を採用することで、枠が占めるスペースを小さくし、洗浄ボタン４１とリモコン４２との間の距離を短くすることができる。このため、使用者が着座した状態で操作部４０の各ボタンを押し易くなり、トイレユニット１の使い勝手を向上させることができる。
【００５８】
リモコン４２と呼び出しボタン４３との間には隙間が設けられ、使用者がリモコン４２と呼び出しボタン４３との間の板部３０や枠３４を清掃し易いように設計されていることが望ましい。
呼び出しボタン４３が、図６に表すように、枠３４と別に設けられ、板部３０に直接取り付けられている場合、枠３４と呼び出しボタン４３との間で板部３０の一部が露出する。従って、この場合、板部３０の枠３４と呼び出しボタン４３との間の部分と、枠３４のリモコン４２と呼び出しボタン４３との間の部分と、をそれぞれ清掃するために、リモコン４２と呼び出しボタン４３との間の隙間を広くする必要がある。
これに対して、図４に表すように、枠３４に呼び出しボタン４３が設けられている場合、板部３０のリモコン４２と呼び出しボタン４３との間の部分は、枠３４に覆われる。従って、リモコン４２と呼び出しボタン４３との間には、枠３４を清掃するための隙間が在ればよく、リモコン４２と呼び出しボタン４３との間の清掃に必要な隙間を狭くできる。このため、リモコン４２と呼び出しボタン４３との間の清掃性を確保しつつも、リモコン４２と呼び出しボタン４３との間の隙間を狭くし、操作部４０を左右方向においてコンパクトにすることが可能である。
図４に表す例において、リモコン４２と呼び出しボタン４３との間の隙間は、例えば、人の指一本分程度（約８ｍｍ〜１２ｍｍ）に設計される。
【００５９】
また、本実施形態では、図４および図５に表すように、枠３４は、ナットＮとボルトによって固定材３１に固定され、固定材３１は、ネジによって板部３０に固定される。すなわち、枠３４は、ナットＮおよびボルトによる固定手段によって、板部３０に対して固定されている。そして、各構成要素が板部３０に取り付けられた状態において、この固定手段の一部が、洗浄ボタン４１とリモコン４２との間に位置し、固定手段の他の一部が、リモコン４２と呼び出しボタン４３との間に位置していることが望ましい。
こうすることで、枠３４の外周に固定手段が設けられる場合に比べて、枠３４の大きさを小さくすることができる。枠３４の大きさを小さくすることで、板部３０や、板部３０が設けられるトイレユニットの設計の自由度を向上させることが可能となる。
【００６０】
この固定手段について、図６に表す構成の場合、図７に表す枠３４のように、係止部３４ｅにナットＮが設けられていることが望ましい。係止部３４ｅにナットＮを設けることで、縁３４ｄの背面側にナットＮを設ける場合に比べて、縁３４ｄの幅Ｗを狭くすることができる。幅Ｗを狭くすることで、枠３４および呼び出しボタン４３を板部３０に取り付けた際の、枠３４と呼び出しボタン４３との間の隙間を広くし、清掃性を向上させることができる。あるいは、清掃性を維持しつつ、操作部４０の左右方向における寸法を小さくし、操作部４０をコンパクトにすることが可能となる。
【００６１】
板部３０の近傍には、手すり２４が設けられるが、この手すり２４の少なくとも一部は、洗浄ボタン４１の上下方向の中心Ｃ１および呼び出しボタン４３の上下方向の中心Ｃ３よりも下方に位置していることが望ましい。こうすることで、使用者が、手すり２４を掴んだ状態で洗浄ボタン４１や呼び出しボタン４３を押すことが容易となり、トイレユニットの使い勝手を向上させることができる。
【００６２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレユニット１が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６３】
１ トイレユニット、  １０、１２ ライニング、  １４ 便器、  １６ 衛生洗浄装置、  １８ 紙巻器、  ２０ ダストボックス、  ２２ 背もたれ、  ２４ 手すり、  ２６ 跳ね上げ式手すり、  ３０ 板部、  ３０ａ、３０ｂ 開口、  ３１ 固定材、  ３２ａ、３２ｂ ハンガー、  ３３、３３ａ〜３３ｃ フレーム、  ３４ 枠、  ３４ａ〜３４ｃ 開口、  ３４ｄ 縁、  ３４ｅ 係止部、  ４０ 操作部、  ４１ 洗浄ボタン、  ４２ リモコン、  ４３ 呼び出しボタン、  ５０ 手洗いユニット、  ５１ 水栓、  ５２ ボウル部、  ６０ 汚物流しユニット、  ６１ 水栓、  ６２ ボウル部、  ６３ 液体石鹸供給器、  ６４ 鏡、  ６５ レバー、  ６６ 紙巻器、  ６７ 洗浄ボタン、  ７０ 洗面ユニット、  ７１ 水栓、  、  ７２ ボウル部、  ７３ 液体石鹸供給器、  ７４ 鏡、  Ｃ１ 洗浄ボタンの上下方向の中心、  Ｃ２ リモコンの上下方向の中心、  Ｃ３ 呼び出しボタンの上下方向の中心、  Ｎ ナット、  Ｗ 幅
【図１】
2017210838.tif 000003
【図２】
2017210838.tif 000004
【図３】
2017210838.tif 000005
【図４】
2017210838.tif 000006
【図５】
2017210838.tif 000007
【図６】
2017210838.tif 000008
【図７】
2017210838.tif 000009